(57)【要約】【課題】  風呂蓋を、がたつくことなく、安定した状態で収納できる風呂蓋収納装置を提供する。【解決手段】  巻蓋式の風呂蓋６を巻いた状態で収納できる収納装置であって、収納装置は、下向き開放の断面略コの字状の上棚４と、上向き開放の断面略コの字状の下棚５が、浴室の壁面１，２に沿って上下方向に配設され、上棚４と下棚５間に、風呂蓋６を立てた状態で挟み込むことができるように構成されている。【選択図】  図１
2005052442.tif 000002
【特許請求の範囲】
【請求項１】
巻蓋式の風呂蓋を巻いた状態で収納できる収納装置であって、該収納装置は、下向き開放の断面略コの字状の上棚と、上向き開放の断面略コの字状の下棚が、浴室の壁面またはエプロン面に上下方向に配設されて、前記上棚と下棚間に風呂蓋を立てた状態で挟み込むことができるように構成されていることを特徴とする風呂蓋収納装置。
【請求項２】
前記上棚と下棚の少なくとも一方は、上下方向に可動式であることを特徴とする請求項１に記載の風呂蓋収納装置。
【請求項３】
前記上棚の上面には、収納凹部が設けられていることを特徴とする請求項１または請求項２に記載の風呂蓋収納装置。
【請求項４】
前記上棚と下棚が浴槽の上方に配設され、前記下棚には、風呂蓋からの水だれを浴槽の樋へ導くことのできるガイドが設けられていることを特徴とする請求項１または請求項２または請求項３に記載の風呂蓋収納装置。
【請求項５】
前記下棚を水の溜まらない構造とし、床面より浮き上がった位置に配設したことを特徴とする請求項１または請求項２または請求項３に記載の風呂蓋収納装置。
【発明の詳細な説明】
【技術分野】
【０００１】
この発明は、巻蓋式の風呂蓋を巻いた状態で良好に収納できる収納装置に関するものである。
【背景技術】
【０００２】
従来、巻蓋式の風呂蓋を巻いた状態で収納できる収納装置が、浴室内に備えられている。
【特許文献１】特開２００２−２９１６３５号公報
【発明の開示】
【発明が解決しようとする課題】
【０００３】
従来の風呂蓋収納装置においては、収納した風呂蓋の巻きがほどけたり、また、収納状態が不安定で、がたつき等が生ずる等の問題点があった。
【課題を解決するための手段】
【０００４】
本発明は上記従来の問題点に鑑み案出したものであって、巻きがほどけることなく、安定した状態で収納できる風呂蓋収納装置を提供するものであり、請求項１は、巻蓋式の風呂蓋を巻いた状態で収納できる収納装置であって、該収納装置は、下向き開放の断面略コの字状の上棚と、上向き開放の断面略コの字状の下棚が、浴室の壁面またはエプロン面に上下方向に配設されて、前記上棚と下棚間に風呂蓋を立てた状態で挟み込むことができるように構成されていることである。
【０００５】
また請求項２では、前記上棚と下棚の少なくとも一方は、上下方向に可動式であることである。
また請求項３では、前記上棚の上面には、収納凹部が設けられていることである。
また請求項４では、前記上棚と下棚が浴槽の上方に配設され、前記下棚には、風呂蓋からの水だれを浴槽の樋へ導くことのできるガイドが設けられていることである。
また請求項５では、前記下棚を水の溜まらない構造とし、床面より浮き上がった位置に配設したことである。
【発明の効果】
【０００６】
風呂蓋収納装置は、下向き開放の断面略コの字状の上棚と、上向き開放の断面略コの字状の下棚が、上下方向に配設されて、上棚と下棚間に風呂蓋を立てた状態で挟み込むことができるように構成されていることにより、風呂蓋を下棚と上棚間に挟み込んで、がたつきを抑え、巻きがほどけることなく、安定した状態で収納できるものとなる。
【０００７】
また、上棚と下棚の少なくとも一方は、上下方向に可動式であることにより、上棚または下棚を移動させて、巻いた状態の風呂蓋に押し付け、風呂蓋のがたつきを抑えて、良好に収納できるものとなる。
【０００８】
また、上棚の上面には、収納凹部が設けられていることにより、上棚の上面の収納凹部内に良好に備品等を置くことができ、良好な収納量を確保できるものとなる。
【０００９】
また、上棚と下棚が浴槽の上方に配設され、下棚には、風呂蓋からの水だれを浴槽の樋へ導くことのできるガイドが設けられていることにより、収納された風呂蓋からの水だれをガイドを介して良好に浴槽樋へ流し込むことができ、風呂蓋からの水だれが浴槽内に流れ込むことが良好に防がれる。
【００１０】
また、下棚を水の溜まらない構造とし、床面より浮き上がった位置に配設したことにより、下棚には水が溜まらないために、風呂蓋からの水だれ等を良好に床面に流すことができ、風呂蓋の汚れを良好に防ぐことができるものとなる。
【実施例】
【００１１】
以下、本発明の実施例を図面に基づいて説明する。
図１は、浴室内に設置された風呂蓋収納装置の斜視構成図である。
浴室内の壁面１，２の交差する浴槽３の上のコーナー部には、上棚４と下棚５が上下方向に間隔を置いて設けられており、この上棚４と下棚５間に、巻蓋式の風呂蓋６を巻いた状態で収納できるものである。
【００１２】
上棚４は、図２の縦断面構成図で示すように、水平板部４ａの外周から下方側へ一体状に垂下して、外周垂下片４ｂが形成され、また水平板部４ａの上方外周には、外周立片４ｃが前記外周垂下片４ｂと連続状に一体形成されている。
水平板部４ａと外周垂下片４ｂで、下向き開放の断面略コの字状の部分が形成されて、、この部分の外周垂下片４ｂ内に、風呂蓋６の上端側を入れることができ、水平板部４ａで風呂蓋４の上端を押圧できるように構成されている。
また、水平板部４ａと外周立片４ｃにより、上面側が開放された収納凹部Ｓが形成されており、この収納凹部Ｓ内には、シャンプー等の備品を入れて収納できるように構成されている。
【００１３】
外周立片４ｃからは、アーム片４ｄが略水平に延びており、アーム片４ｄから垂下状に係止片４ｆが形成されて、この係止片４ｆには、図３に、図２のＡ−Ａ線断面拡大図で示すように、縦方向に下開放の縦スリット４ｇが形成されている。
壁面１に、ダボ付ネジ７を固定させておき、このダボ付ネジ７のダボを縦スリット４ｇ内に嵌め込んだ状態で、壁面１にダボ付ネジ７を介して上棚４が取付けられるものであり、縦スリット４ｇを介して、上棚４は上下方向に移動可能なものとなっている。
一方、下棚５は、壁面１および２に固定状に設置されるものであり、底板５ａの外周に、外周立片５ｂが一体状に立上形成されており、上面が開放された断面略コの字状に形成されている。
【００１４】
風呂蓋６を巻いた状態で、先ず、下棚５内に、風呂蓋６の下端部を底板５ａに当接するように入れ、この状態で、風呂蓋６に対し、上棚４を下動させて、上棚４の水平板部４ａを風呂蓋６の上端に押し付けることにより、風呂蓋６のがたつきを抑えて、安定した状態で、風呂蓋６を上棚４と下棚５間に収納させておくことができ、収納状態で風呂蓋６の巻きがほどけることがなく、スッキリとした状態で収納させることができるものとなる。
【００１５】
なお、図４に示すように、下棚５には、垂下状にガイド８を設けておくことができる。このガイド８は、図５の縦断面図で示すように、壁面１，２との間に通路Ｒを形成させることのできるＬ字状に形成されており、ガイド８は、下棚５と一体または別体で形成しておくことができる。
また、下棚５の外周立片５ｂの内側には、上下方向に貫通してスリット状に排水孔５ｃを形成させておき、この排水孔５ｃから、床板５ａ上に溜まる水を通路Ｒ内に排水できるように構成して、この通路Ｒを通って落下する排水が、浴槽３の外周に壁面１，２に沿って設けられた浴槽樋３ａ内に流下して、浴槽樋３ａに沿って排水されるように構成しておくことができる。
このような構成では、風呂蓋６を収納した際に、風呂蓋６からの水だれが、良好に排水孔５ｃから通路Ｒ内に流れ落ちて、浴槽樋３ａに沿って排水されるため、風呂蓋６からの水だれが浴槽３内に流れ込むことがなくなるものである。
【００１６】
次に、図６は変更例を示すものであり、図６では、浴槽のエプロン３ｂと壁面１に沿って下棚５を設置し、この下棚５の上方の壁面１に上棚４を設けたものである。
このように、浴槽のコーナー部に限らず、エプロン３ｂの面に配置して、上棚４と下棚５間に風呂蓋６を立てた状態で挟み込んで収納できるものとなる。
なお、下棚５は、洗い場床面９より浮き上がった上方位置に配設しておくことができ、しかも、下棚５は、網やワイヤー等で構成した、水の溜まらない構造のものを用いることができる。
【００１７】
例えば、図７に拡大して示すような下棚５では、壁面１とエプロン３ｂの面に固定できるＬ字状の固定片５１を有し、この固定片５１には、ビスで固定するためのビス孔５２，５２，５２が形成されており、Ｌ字状の固定片５１の先端間は、弓状に曲げた底外周ワイヤー５３と、その内側の底内側ワイヤー５４と、底外周ワイヤー５３と底内側ワイヤー５４を連結する連結ワイヤー５５，５５で底面が形成され、また上外周ワイヤー５６が上面側に設けられて、風呂蓋の落下を防ぐように構成されており、このようなワイヤーで形成した構造では、ワイヤー５３，５４，５５間で空間が形成されるため、良好に水を落下させて排水することができ、風呂蓋６からの水だれを良好に下方へ落下させて排水できるため、風呂蓋６の下端側に水が溜まらず、風呂蓋６が汚れ難いものとなる。
【図面の簡単な説明】
【００１８】
【図１】風呂蓋収納装置の設置状態の斜視構成図である。
【図２】図１における上棚の縦断面構成図である。
【図３】図２のＡ−Ａ線断面拡大図である。
【図４】下棚にガイドを設けた場合の斜視構成図である。
【図５】図４の縦断面構成図である。
【図６】エプロン側に風呂蓋収納装置を設置した状態の斜視図である。
【図７】ワイヤーで形成した下棚の拡大斜視図である。
【符号の説明】
【００１９】
１，２  浴室壁面
３  浴槽
３ａ  浴槽樋
３ｂ  エプロン
４  上棚
４ａ  水平板部
４ｂ  外周垂下片
４ｃ  外周立片
４ｄ  アーム片
４ｆ  係止片
４ｇ  縦スリット
５  下棚
５ａ  底板
５ｂ  外周立片
５ｃ  排水孔
７  ダボ付ネジ
８  ガイド
９  洗い場床面
５１  固定片
５３  底外周ワイヤー
５４  底内側ワイヤー
５５  連結ワイヤー
５６  上外周ワイヤー
Ｒ  通路
Ｓ  収納凹部
【図１】
2005052442.tif 000003
【図２】
2005052442.tif 000004
【図３】
2005052442.tif 000005
【図４】
2005052442.tif 000006
【図５】
2005052442.tif 000007
【図６】
2005052442.tif 000008
【図７】
2005052442.tif 000009